(57)【特許請求の範囲】
【請求項１】
ワークと工具とを相対移動させて前記ワークを加工する工作機械において、
床面に設置されるベッドと、
前記ベッド上に互いに相対移動可能に設けられる工具とワークとを含む加工領域を取り囲み、切屑や加工液の飛散を防止するスプラッシュガードと、
前記スプラッシュガードと床面との間の前記ベッドの周囲に、前記ベッドから水平方向に離間して配設され、前記ベッドへの空気流の直接的な流通を防止する遮蔽板と、
を具備することを特徴としたベッドの周囲に遮蔽板を設けた工作機械。
【発明の詳細な説明】
【０００１】
【発明の属する技術分野】
本発明は、マシニングセンタ、フライス盤、旋盤、研削盤、放電加工機等の工作機械、特にベッドの周囲に遮蔽板を設けてベッドに当たる局所的な空気流を遮断した工作機械に関する。
【０００２】
【従来の技術】
マシニングセンタ等の工作機械の第１の従来技術として特開平８−１７４３７６号公報がある。この公報に開示された工作機械は立形のマシニングセンタであって、ワークを固定するテーブルの周囲空間がスプラッシュガードにより覆われている。然しながら、スプラッシュガードは床面まで到達しておらず、ベッドがむき出しのままである。
【０００３】
第２の従来技術として実開昭５９−１８３３４０号公報に開示された工作機械は横形のマシニングセンタであり、工作機械全体をカバーで包囲して内部を恒温化して工作機械の熱変形を防止している。
【０００４】
【発明が解決しようとする課題】
マシニングセンタ等の工作機械のベッドは、周囲に多数の鋳抜き穴が形成されていたり、レベリングブロックを介して床面上に設置されるために床面との間に隙間が設けられている。従って、ベッドの内部や底面を空気が流通することになり、工作機械が設置される周囲空間の熱変動の外乱を受け、熱変形し易くなっている。そのために、第１の従来技術による工作機械では、工作機械を設置する工場等の扉が開放され外気が屋内に流れ込む、冷暖房の送風の当たり具合が変化する等により工作機械の周囲空間の温度が変化すると、ベッドが熱変形して加工精度が低下する問題がある。
【０００５】
第２の従来技術では工作機械の全体を覆うカバーの内部空間全体を恒温化しているために、構造が大がかりとなり、工作機械の製造コストおよびランニングコストが高くなる問題がある。
【０００６】
本発明は、こうした従来技術の問題を解決することを技術課題としており、簡単な構成により、工作機械の周囲空間の空気流の温度変化や当たり具合の変化によるベッドの熱変形を防止した工作機械を提供することを目的としている。
【０００７】
【課題を解決するための手段】
請求項１に記載の本発明は、ワークと工具とを相対移動させて前記ワークを加工する工作機械において、
床面に設置されるベッドと、
前記ベッド上に互いに相対移動可能に設けられる工具とワークとを含む加工領域を取り囲み、切屑や加工液の飛散を防止するスプラッシュガードと、
前記スプラッシュガードと床面との間の前記ベッドの周囲に、前記ベッドから水平方向に離間して配設され、前記ベッドへの空気流の直接的な流通を防止する遮蔽板と、
を具備することを特徴としたベッドの周囲に遮蔽板を設けた工作機械を要旨とする。
スプラッシュガードと床面との間の周囲空気にさらされているベッドのまわりを離間して遮蔽板で覆ったので、局所的なベッドへの空気流の直接的な流通がなくなり、ベッドの熱変形が起きにくい。
【０００８】
【発明の実施の形態】
以下、添付図面を参照して本発明の好ましい実施形態を説明する。
先ず、図１を参照すると、工作機械１１は、工場等の床面Ｆにレベリングブロック（図示せず）等を介して設置、固定されるベッド１３、ベッド１３から上方部分を覆うスプラッシュガード１５を有している。図１では、スプラッシュガード１５は、その正面に操作盤１７およびスライドドア１９ａ、１９ｂを有しており、頂部には上カバー２１が図示されている。工作機械１１は如何なる形式の工作機械であってもよいが、一例として図１に示す工作機械１１は立形の工作機械であり、ベッド１３上に設けられたコラム（図示せず）、前記コラムの前面において鉛直軸線方向に移動可能に設けられた主軸頭（図示せず）、前記主軸頭に回転自在に支持された主軸（図示せず）、前記主軸に装着された工具（図示せず）、前記コラムの前方部に配設され前記ワークを取り付けるテーブル（図示せず）等を備えており、スプラッシュガード１５は、これらの構成要素を含めて前記テーブルの周囲空間を包囲している。そして工具とワークとの相対移動によって加工が行われた際の切屑や加工液の飛散を防止するとともに、加工領域内が周囲空気にさらされないように保護している。
【０００９】
本発明の第１の実施形態によれば、工作機械１１は、ベッド１３の少なくとも一部の周囲においてスプラッシュガード１５と床面Ｆとの間に配置された遮蔽板Ｉを具備している。遮蔽板Ｉは、市販されている一定の剛性を有した板部材を用いることができる。遮蔽板Ｉは、断熱材を用いてもよい。更に、遮蔽板Ｉは、スプラッシュガード１５に固定してもよいし、或いは、レベリングブロックの調整がいつでもできるように遮蔽板Ｉ自体が自立する衝立状部材を着脱容易に床面Ｆに配置してもよい。特に、第１の実施形態では、遮蔽板Ｉは、ベッド１３の表面から水平方向に離間配置されており、ベッド１３と遮蔽板Ｉとの間には空間Ｓが形成されている。
【００１０】
以下、図２、３を参照して本発明の作用を説明する。
図２は、工作機械１１が設置される周囲空間の温度が定常状態Ｔ0からΔＴだけ低い温度Ｔ1の空気流がベッド１３に当ったときのベッド１３、空間Ｓ、遮蔽板Ｉ、周囲空間の温度分布を工作機械１１の正面の一部と共に示す図である。図３は、遮蔽板Ｉを備えず、ベッド１３が露出されている構成の場合の図２と同様の図である。図２、３を比較すると、本実施形態の工作機械１１では、遮蔽板Ｉの空気流をさえぎる効果および空間Ｓの断熱効果により周囲空気流の温度変化のベッド１３への影響が遮蔽板Ｉを備えない場合と比較して格段に小さくなっていることが理解される。
【００１１】
図１、２に示す実施形態では、遮蔽板Ｉはベッド１３から水平方向に離間配置されていたが、図４に示すようにベッド１３の表面に接触するように配置する場合は断熱板を用いるとよい。この場合、第１の実施形態と比較して、周囲空間の温度変化がベッド１３に大きく影響するが、遮蔽板Ｉを備えない場合と比較すると、その影響は格段に小さなものとなっている。また、遮蔽板Ｉはベッド１３の周囲の全てに配置しなくとも、例えばベッド１３の変形が加工精度に最も影響を及ぼすコラムが設置されている部分、工場のドアや冷暖房吹出し口に面している部分等、ベッドの一部のみに配置してもよい。
【００１２】
【発明の効果】
本発明によれば、ベッドの周囲においてスプラッシュガードと床面との間にベッドから離間して遮蔽板を配置したので、ベッドに直接的に空気流が当たらず、工作機械の設置されている周囲空間の空気流の変化のベッドへの影響を可及的に小さくすることが可能となる。また、本発明ではスプラッシュガードの下側のみに遮蔽板を配置し、しかも空調設備を必要としないので、実開昭５９−１８３３４０号公報に開示された工作機械と比較して、製造コストおよびランニングコストの両面にわたって低減される。更に、遮蔽板を自立する衝立状に形成することにより、既存の工作機械に対して容易に設置可能となり、またレベリングブロックの調整にもほとんど支障がない。
【図面の簡単な説明】
【図１】本発明実施形態による工作機械の略示図であり、（ａ）は正面図、（ｂ）は側面図である。
【図２】工作機械が設置される周囲空間の温度が定常状態Ｔ0からΔＴだけ低い温度Ｔ1の空気流がベッドに吹き付けたときのベッド、空間、遮蔽板、周囲空間の温度分布を工作機械の正面の一部と共に示す図である。
【図３】遮蔽板を備えずベッドが露出されている構成における図２と同様の図である。
【図４】遮蔽板を断熱カバーで構成してベッド表面に接触するように配置した場合の図２と同様の図である。
【符号の説明】
１１…工作機械
１３…ベッド
１５…スプラッシュガード
Ｆ…床面
Ｓ…空間
Ｉ…遮蔽板
【図１】
0003729766.tif 000002
【図２】
0003729766.tif 000003
【図３】
0003729766.tif 000004
【図４】
0003729766.tif 000005